(57)【要約】【課題】  個人認証のためのエレベーター用カードを新たに持つことなしに、エレベーターを利用できるようにする。【解決手段】  個人データを格納した１ｍｍ角大のＩＣタグ１００を封入し貼り付け可能なシール１０１と、エレベーターホール及びエレベーターの乗りかご内に設置され、前記シール１０１に封入されたＩＣタグ１００のデータを読み込んで出力するリーダ２００と、リーダ２００から出力されたデータを入力としてエレベーター制御のための信号を出力するデータコントローラ３００と、を含んでエレベーター用個人認証手段を構成し、データコントローラ３００を、ＩＣタグ１００のデータが登録格納される個人認証情報データベース３５０を備え、リーダ２００から出力されたデータと個人認証情報データベース３５０に格納されたデータを照合して、照合結果に応じた信号をエレベーター制御盤４００に出力するよう構成する。【選択図面】        図１
2006076697.tif 000002
【特許請求の範囲】
【請求項１】
個別に認別可能なＩＣタグが封入されたシールと、エレベーターホール及びエレベーターの乗りかご内に設置され、前記シールに封入されたＩＣタグのデータを読み込んで出力するＩＣタグ読込み手段と、前記ＩＣタグ読込み手段から出力されたデータを入力としてエレベーター制御のための信号をエレベーター制御盤に出力するデータコントローラと、を含んでなり、前記データコントローラは、前記ＩＣタグのデータが登録格納される個人認証情報データベースを備え、前記ＩＣタグ読込み手段から出力されたデータと個人認証情報データベースに格納されたデータを照合して、照合結果に応じた信号をエレベーター制御盤に出力するよう構成され、ＩＣタグのデータは読み出し専用の記憶素子に格納されているエレベーター用個人認証手段。
【請求項２】
請求項１に記載のエレベーター用個人認証手段において、前記ＩＣタグのサイズは、１ｍｍ×１ｍｍ以下であることを特徴とするエレベーター用個人認証手段。
【請求項３】
請求項１または２に記載のエレベーター用個人認証手段において、前記シールは、鍵、各種カード、携帯電話、眼鏡のツルのいずれか一つ以上に貼りつけが可能である接着剤を有してなることを特徴とするエレベーター用個人認証手段。
【請求項４】
請求項１〜３のうちのいずれか１項に記載のエレベーター用個人認証手段において、前記データコントローラは公衆電話回線に接続され、前記個人認証情報データベースに格納されたデータは、公衆電話回線を介して前記データコントローラにアクセスする、予め定められたコンピュータ端末による書き換えが可能となっていることを特徴とするエレベーター用個人認証手段。
【発明の詳細な説明】
【技術分野】
【０００１】
本発明は、認証機能を備えるエレベーター制御に係わり、特にエレベーター用の個人認証手段に関する。
【背景技術】
【０００２】
従来のエレベーターの個人認証サービスを受ける場合には、特許文献１に示されているように、利用者に予め専用カードを配布し、エレベーターホールとかご内に前記カードを認識するリーダを配置するのが一般である。また、特許文献２には、ＲＦＩＤタグを自転車に貼り付けて識別、管理する例が示されている。
【０００３】
特許文献３には、無線送信機能を備えた無線タグシールを薬品の保管・管理に用いる技術が開示されている。しかし、この無線タグシールは無線送信のための電源を備え、使用期間が電源容量に左右されるという問題がある。
【０００４】
特許文献４には、書き換え可能な記憶素子を備えた無線タグを顧客の玄関付近に貼り付ける例が記載されている。この無線タグは外部から放射される電波により無線タグ内のコイルに発生する起電力を電源とするので、使用期間が電源容量に左右されるという問題はないが、顧客が携帯し易いようにすることや、データの書き換えなどの点で、個人の認証に用いるには配慮が不十分である。
【０００５】
さらに、特許文献５には、バーコードラベルにＲＦＩＤ機能を持たせた例が記載されているが、この例でも、顧客が携帯し易いよう小型化することは考慮されていない。また、特許文献６には、エレベーターの利用者が、固有のＩＤ情報を常時無線送信する小型の無線送信機を備えたタグを、例えば名札形式で携行し、各エレベーターホールに、前記タグから発信されるＩＤ情報を受信する受信手段を設けてエレベーターの管理に利用する技術が開示されている。
【０００６】
【特許文献１】特開平０８−２４５１０１号公報（第３頁）
【特許文献２】特開２００３−３０６１８６号公報（第４〜５頁）
【特許文献３】特開２００３−２９２１２３号公報（第３頁）
【特許文献４】特開２００３−２７１８０６号公報（第４頁）
【特許文献５】特開２００１−５９３１号公報（第３頁）
【特許文献６】特開２００３−３４１９４５号公報（第３頁）
【発明の開示】
【発明が解決しようとする課題】
【０００７】
上記特許文献１の従来技術では、利用者は他にも多数のカードを持ち歩いているのに、さらにエレベーター用カードを持つ必要があり、持ち歩いている多数のカードの中からエレベーター用のカードを抜き出す煩雑さがあった。また、特許文献６に示された技術においても、例えば名札状のタグを携行する必要があり、さらには、送信機を用いるために、タグの寿命の問題があった。
【０００８】
本発明の課題は、個人認証機能を備え、認証された人だけが利用できるように構成されたエレベーターを利用する人が、個人認証のためのエレベーター用カードや名札などを新たに持つことなしに、エレベーターを利用できるようにすることである。
【課題を解決するための手段】
【０００９】
上記の課題を達成する本発明は、個別に認別可能なＩＣタグが封入された貼り付け可能なシールと、エレベーターホール及びエレベーターの乗りかご内に設置され、前記シールに封入されたＩＣタグのデータを読み込んで出力するＩＣタグ読込み手段と、前記ＩＣタグ読込み手段から出力されたデータを入力としてエレベーター制御のための信号をエレベーター制御盤に出力するデータコントローラと、を含んで構成されたエレベーター用個人認証手段であって、前記データコントローラは、前記ＩＣタグのデータが登録格納される個人認証情報データベースを備え、前記ＩＣタグ読込み手段から出力されたデータと個人認証情報データベースに格納されたデータを照合して、照合結果に応じた信号をエレベーター制御盤に出力するよう構成され、ＩＣタグのデータは読み出し専用の記憶素子に格納されていることを特徴とする。
【００１０】
上記構成によれば、エレベーターを利用する人は、ＩＣタグが封入されたシールを、通常携帯している所持品、例えば携帯電話、眼鏡などに貼り付けることで、新たに個人認証のためのカードを持つ必要がなくなり、エレベーター利用の都度、所持しているカードの中からエレベーターのためのカードを探し出すような煩雑さを無くすことができる。
【００１１】
前記ＩＣタグのサイズを１ｍｍ×１ｍｍ以下とすれば、例えば眼鏡のつるにでも容易に貼り付ける大きさのシールとすることができる。
【００１２】
前記データコントローラを公衆電話回線に接続し、前記個人認証情報データベースに格納されたデータを、公衆電話回線を介して前記データコントローラにアクセスする、予め定められたコンピュータ端末による書き換えを可能としておけば、ＩＣタグ所持者のエレベーター利用に係るステイタス、例えば利用可能階の制限の追加、変更などを、利用者に渡したＩＣタグそのものを変更することなく、エレベーターが設置された建物から離れた場所にあるエレベーターの保守センター等から、容易に行うことができる。
【発明の効果】
【００１３】
ＩＣタグを封入したシールなら、利用者が携帯する任意のものに貼りつけておけばよく、エレベーター利用者は多数もっているカードに加えて、さらにエレベーター用カードを持たなければならないという煩雑さから解放される。ＩＣタグのサイズを１ｍｍ×１ｍｍ以下とすれば、例えば眼鏡のつるにでも容易に貼り付ける大きさのシールとすることができ、日常携帯する小物に貼り付けて常時携帯できる。
【発明を実施するための最良の形態】
【００１４】
（第１の実施の形態）
図１は、本実施の形態におけるエレベーター用個人認証手段を含むエレベーターシステムの要部構成を示す。図示のエレベーターシステムは、固有のID番号を含む個人データが格納されたＩＣタグ１００と、各ホール及び乗りかご５００内に設置され、前記ＩＣタグ１００の個人データを読み取って伝送するＩＣタグ読み込み手段であるリーダ２００と、このリーダ２００に接続されてビル内に設置され、リーダ２００から伝送される個人データを処理するデータコントローラ３００と、データコントローラ３００に接続して設置され、乗りかご５００及び各ホールの乗場扉の動作を制御するエレベーター制御盤４００と、を含んで構成されている。各階のホール呼びボタン及び乗りかご内のかご呼びボタンは、エレベーター制御盤４００に接続されている。
【００１５】
ＩＣタグ１００のサイズは１ｍｍ×１ｍｍ以下で、シール１０１に封入されている。ＩＣタグ１００の入ったシール１０１は裏面に接着剤が塗布してあり、各種カード１１０や鍵１１１，携帯電話１１２，眼鏡１１３，腕時計，指輪など、エレベーター利用者が通常携帯する任意のものに貼りつけられるようになっている。
【００１６】
図３、図４に、シール１０２の平面図を示す。図３に長方形のシールを、図４に正方形のシールを示したが、円形、六角形等の形状でもよい。ＩＣタグ１００は、アンテナ、コイル、読み出し専用の記憶素子を備え、記憶素子に記憶された個人データを、リーダ２００から放出される電波によりコイルに発生する起電力を利用して、リーダ２００が読み出すように構成されている。
【００１７】
リーダ２００は、図５に示すように、エレベーターホールのホール呼びボタンの下方、及び乗りかご内のかご呼びボタンの下方に、それぞれ設置され、斜線で示した窓から電波を放射してＩＣタグ１００の個人データを読み取るように構成されている。リーダ２００は読み取ったデータを、データコントローラ３００に送信する。
【００１８】
データコントローラ３００には、個人認証情報データベース３５０が内装され、この個人認証情報データベース３５０には、ＩＣタグ１００に格納されたデータ（個人データ）や、その個人データに対応する付属的なデータ（例えば後述する利用可能階データ）が格納されるようになっている。データコントローラ３００は演算手段を備え、個人認証情報データベース３５０への個人データの登録や、リーダ２００から伝送される個人データを入力として、個人認証情報データベース３５０へ登録されているか否かによる乗車可否の判別、個人対応の運用サービス提供、サービス階への運行の判断をする。例えば、防犯を考慮した運行サービスにおいて、登録されていないＩＣタグ１００を所持している乗客や、ＩＣタグ１００を所持していない乗客がいた場合、エレベーターのサービスを提供しないとの設定することができる。また、個人認証情報データベース３５０に登録された個人データがリーダ２００から伝送されてきたとき、エレベーター制御盤４００へ指令を送り、ホール呼び、乗りかご呼びなどの登録を行う。
【００１９】
データコントローラ３００はまた、公衆電話回線（インターネット）を介してエレベーターメーカーあるいはエレベーター保守管理を担当する会社のコンピュータ端末に接続され、内装された前記個人認証情報データベース３５０に格納されたデータを、前記コンピュータ端末によって追加、修正できるようになっている。
【００２０】
エレベーター制御盤４００は、エレベーターホールに設置されたホール呼びボタン、乗りかご内に設置されたかご呼びボタン（行き先ボタン）、乗りかご内のドア開閉ボタン、データコントローラ３００、及び図示されていない各種センサ、機器から入力される信号に基づいて、乗りかご５００、乗りかごのドア、乗場（ホール）ドアの動作や、各種表示灯、音声案内等を制御する。
【００２１】
上記構成のうち、シール１０２、リーダ２００及びデータコントローラ３００が、本発明のエレベーター用個人認証手段を構成する。
【００２２】
以下、本実施の形態の動作について説明する。エレベーター利用者は、シール１０１を貼り付けた所持品１５０、例えば携帯電話１１２を、ある階（Ｎ階とする）のエレベーターホールのホール呼びボタンの近傍に設置されたリーダ２００にかざし、上行き、あるいは下行きのホール呼びボタンを押す。リーダ２００は所持品１５０に貼り付けられたシール１０１のＩＣタグ１００の個人データを読み取り、当該リーダ２００が設置されている階（Ｎ階）を示す信号とともにデータコントローラ３００に送信する。同時に、ホール呼びボタンから、Ｎ階から上行きあるいは下行きのホール呼び信号がエレベーター制御盤４００に送信される。
【００２３】
データコントローラ３００は、リーダ２００から送信されてきた個人データを、個人認証情報データベース３５０に登録された個人データと照合し、リーダ２００から送信されてきた個人データが個人認証情報データベース３５０に登録されているかどうかを確認する。リーダ２００から送信されてきた個人データが個人認証情報データベース３５０に登録されていなかったら、データコントローラ３００は、Ｎ階からの呼び登録を許可しない信号をエレベーター制御盤４００に出力する。エレベーター制御盤４００は、データコントローラ３００からＮ階からの呼び登録を許可しない信号を受信した場合、Ｎ階のホール呼びボタンから送信されてきたホール呼びを登録せず、Ｎ階のエレベーターホールに、リーダ２００に読み込まれたＩＣタグのデータが未登録であって、エレベーターが利用できないことを、例えば音声で利用者に告知する。
【００２４】
リーダ２００から送信されてきた個人データが個人認証情報データベース３５０に登録されていたら、データコントローラ３００は、Ｎ階からの呼び登録を許可する信号をエレベーター制御盤４００に出力する。エレベーター制御盤４００は、Ｎ階からの呼び登録を許可する信号を受信したら、Ｎ階のホール呼びボタンから送信されてきた上行きあるいは下行きのホール呼びを登録し、Ｎ階からのホール呼びに対応するエレベーターを割り当て、Ｎ階のエレベーターホールの上行きあるいは下行きのホール呼びボタンを点灯する。
【００２５】
割当てられたエレベーターの乗りかごがＮ階に到着すると、点灯していた前記ホール呼びボタンは消灯される。エレベーターのドアが開いたら、前記エレベーター利用者は乗りかごに乗り込み、乗りかご内に設けられたリーダ２００に、シール１０１を貼り付けた所持品１５０、例えば携帯電話１１２をかざし、目的階のかご呼びボタンを押す。リーダ２００は所持品１５０に貼り付けられたシール１０１のＩＣタグ１００の個人データを読み取り、当該リーダ２００が設置されている乗りかごＭを示す信号とともにデータコントローラ３００に送信する。同時に、かご呼びボタンから、目的階を示すかご呼び信号がエレベーター制御盤４００に送信される。
【００２６】
データコントローラ３００は、リーダ２００から送信されてきた個人データを、個人認証情報データベース３５０に登録された個人データと照合し、リーダ２００から送信されてきた個人データが個人認証情報データベース３５０に登録されているかどうかを確認する。リーダ２００から送信されてきた個人データが個人認証情報データベース３５０に登録されていなかったら、データコントローラ３００は、乗りかごＭからのかご呼び登録を許可しない信号をエレベーター制御盤４００に出力する。エレベーター制御盤４００は、乗りかごＭからのかご呼び登録を許可しない信号をデータコントローラ３００から受信したら、乗りかごＭからのかご呼びを登録せず、乗りかごＭ内に、リーダ２００に読み込まれたＩＣタグのデータが未登録であって、エレベーターが利用できないことを、例えば音声で利用者に告知する。
【００２７】
データコントローラ３００は、リーダ２００から送信されてきた個人データが個人認証情報データベース３５０に登録されていたら、乗りかごＭからのかご呼び登録を許可する信号をエレベーター制御盤４００に出力する。エレベーター制御盤４００は、乗りかごＭからのかご呼び登録を許可する信号を受信したら、乗りかごＭのかご呼びボタンから送信されてきたかご呼びを登録し、乗りかご内の前記エレベーター利用者が押した目的階のかご呼びボタンを点灯する。
【００２８】
エレベーター制御盤４００は、ホール呼びボタン及びかご呼びボタンで登録された階で停止しつつエレベーターを運行し、登録された階がなくなったら、予め設定されている待機階に停止して待機する。
【００２９】
図６に、上記ホール呼びの処理手順を、図７に上記かご呼びの処理手順を、それぞれフローチャートとして示した。
（第２の実施の形態）
上記第１の実施の形態では、ＩＣタグ１００のデータでエレベーター利用の可否を認証し、ホール呼びボタン、かご呼びボタンの操作は通常通り行うが、第２の実施の形態として、個人認証情報データベース３５０に、住居用建物の場合は居住階、事務所用建物の場合は利用階をそれぞれ、個人データに対応させて格納し、これらのデータをエレベーター制御盤４００に送信するようにしてもよい。
【００３０】
例えば住居用建物の場合、エレベーター利用は、居住階と出入り口階の間に限定される。第２の実施の形態が前記第１の実施の形態と異なるのは、個人認証情報データベース３５０に、住居用建物の場合は居住階、事務所用建物の場合は利用階をそれぞれ、個人データに対応させて格納し、これらのデータをエレベーター制御盤４００に送信するようにした点と、利用者がホール呼びボタン、かご呼びボタンの操作を行わなくても、エレベーター制御盤４００がエレベーターの制御を行えるようにした点である。
【００３１】
以下、第２の実施の形態の動作について説明する。エレベーター利用者は、シール１０１を貼り付けた所持品１５０、例えば携帯電話１１２を、ある階（Ｎ階とする）のエレベーターホールのホール呼びボタンの近傍に設置されたリーダ２００にかざす。リーダ２００は所持品１５０に貼り付けられたシール１０１のＩＣタグ１００の個人データを読み取り、当該リーダ２００が設置されている階（Ｎ階）を示す信号とともにデータコントローラ３００に送信する。
【００３２】
データコントローラ３００は、リーダ２００から送信されてきた個人データを、個人認証情報データベース３５０に登録された個人データと照合し、リーダ２００から送信されてきた個人データが個人認証情報データベース３５０に登録されているかどうかを確認する。リーダ２００から送信されてきた個人データが個人認証情報データベース３５０に登録されていなかったら、データコントローラ３００は、Ｎ階からの呼び登録を許可しない信号をエレベーター制御盤４００に出力する。エレベーター制御盤４００は、データコントローラ３００からＮ階からの呼び登録を許可しない信号を受信した場合、Ｎ階のエレベーターホールに、リーダ２００に読み込まれたＩＣタグのデータが未登録であって、エレベーターが利用できないことを、例えば音声で利用者に告知する。
【００３３】
リーダ２００から送信されてきた個人データが個人認証情報データベース３５０に登録されていたら、データコントローラ３００は、リーダ２００から送信されてきた個人データに対応して個人認証情報データベース３５０に格納されている居住階を読み出し、居住階とリーダ２００から送信されてきたＮ階を対比する。両方が一致したら、居住階からの出入り口階へのエレベーター利用と判断し、エレベーター制御盤４００に、Ｎ階（居住階）から出入り口階方向へのホール呼び登録と、目的階を出入り口階（例えば１階）とするかご呼び登録を指示する信号を出力する。両方が一致しなかった場合、Ｎ階から居住階へのエレベーター利用と判断し、エレベーター制御盤４００に、Ｎ階から居住階方向へのホール呼び登録と、目的階を居住階とするかご呼び登録を指示する信号を出力する。
【００３４】
ここでは、居住階からの出入り口階へのエレベーター利用として説明する。エレベーター制御盤４００は、Ｎ階からのホール呼び登録と、目的階を出入り口階とするかご呼び登録を指示する信号を受信したら、Ｎ階の下行きのホール呼びを登録し、Ｎ階からのホール呼びに対応するエレベーターを割り当て、Ｎ階のエレベーターホールの下行きのホール呼びボタンを点灯する。同時に、目的階を出入り口階とするかご呼びを登録し、割当てたエレベーターの乗りかごの停止階表示灯のうちのＮ階と出入り口階の表示灯を点灯させる。
【００３５】
割当てられたエレベーターの乗りかごがＮ階に到着すると、点灯していた前記ホール呼びボタン及び乗りかご内のＮ階の停止階表示灯は消灯される。エレベーターのドアが開いたら、前記エレベーター利用者は乗りかごに乗り込む。ドア閉ボタンが押されるか、押されないままで所定の時間が経過するとドアが閉じられ、エレベーターは下降を開始し、ホール呼びにより登録された停止階に停止しつつ、下降する。出入り口階で利用者が乗りかごから降りてしまうと、所定時間経過後ドアが閉じられ、ホール呼びが登録された階あるいは出入り口階で新たに乗り込んだエレベーター利用者が所持するＩＣタグ１００により登録された目的階（居住階）に向かって上昇を開始する。
【００３６】
出入り口階で乗りかごに乗り込む利用者は、予め、ホール呼びボタンの近くに設置されたリーダ２００にＩＣタグ１００が封入されたシール１０１をかざして、認証を得てホール呼びを登録しておくことになる。乗りかごの入り口周囲には、かご呼びボタン近くに設置されたリーダ２００のデータ読み込み用のセンサが設置されており、乗りかごに乗り込む利用者が所持しているＩＣタグ１００の個人データを読み出し、個人認証情報データベース３５０に登録されているかどうかを検出する。個人認証情報データベース３５０に登録されていない場合、あるいはＩＣタグ１００を所持していない場合には、エレベーター制御盤４００は、その利用者が入り口を通過したときに警告音を発し、今乗り込んだ人は行き先が確認されていないので、一度降りて、ホールのリーダ２００で、ＩＣタグ１００による認証を行うよう、音声で告知する。
【００３７】
図８に、上記手順をフローチャートで示した。
【００３８】
本実施の形態の場合、ホール呼びボタン、かご呼びボタンは通常は使用されないのでエレベーター制御盤４００への入力がなされないようにしておき、必要に応じてエレベーター管理者が操作して、ホール呼びボタン、かご呼びボタンでエレベーターを操作できるようにすればよい。
（第３の実施の形態）
上記システムでは、エレベーター利用が居住階と出入り口階の間に限定され、一つの企業が複数の階を使用している建物では、適用できない。また、住居用の建物であっても、建物の保守管理や自治会役員等、居住階以外の複数の階に行き来する人がいる。そのような、出入り口階とそれ以外の複数の階相互の間を行き来する人（複数階利用者）がいる場合は、つぎのような第３の実施の形態が考えられる。本実施の形態が前記第２の実施の形態と異なるのは、個人認証情報データベース３５０に、ＩＣタグ１００に格納された個人データと、その個人データに対応して、そのＩＣタグ１００を保持する人が往来できる階すべてが利用可能階として格納されている点と、データコントローラ３００は、リーダ２００から送信される個人データに対応して格納された利用可能階をすべて読み出し、エレベーター制御盤４００に送信し、エレベーター制御盤４００は、かご呼びボタンから送信されてきた目的階と、データコントローラ３００から送信されてきた利用可能階を照合し、送信されてきた目的階が利用可能階に含まれているとき、乗りかごの前記押されたかご呼びボタンを点灯してかご呼びを登録するように構成されている点である。
【００３９】
利用者は、エレベーターホールのリーダ２００にシール１０１を貼り付けた所持品をかざして上行きもしくは下行きのボタンを押すことでホール呼びを登録する。データコントローラ３００及びエレベーター制御盤４００は、出入り口階とそれ以外の複数階（つまり、三つ以上の階）が利用可能階として個人認証情報データベース３５０に格納されている場合、ホール呼び段階ではかご呼び（目的階）を登録しない。利用者は、乗りかごに乗り込んだら、リーダ２００にＩＣタグ１００を読み込ませた状態で目的階のかご呼びボタンを押す。
【００４０】
データコントローラ３００は、リーダ２００から送信される個人データが個人認証情報データベース３５０に登録済みである場合、個人データに対応して格納された利用可能階をすべて読み出し、エレベーター制御盤４００に送信する。エレベーター制御盤４００は、かご呼びボタンから送信されてきた目的階と、データコントローラ３００から送信されてきた利用可能階を照合し、送信されてきた目的階が利用可能階に含まれているとき、乗りかごの前記押されたかご呼びボタンを点灯してかご呼びを登録する。送信されてきた目的階が利用可能階に含まれていないとき、エレベーター制御盤４００は、指定された階はご利用になれません、行き先階を押し直してくださいと音声で告知する。
【００４１】
本実施の形態におけるホール呼びの処理手順は、図６に示したものと同じである。図９に、本実施の形態における上記かご呼びの処理手順を示す。
【００４２】
このように構成することで、建物の保守管理を担当する人や、複数のフロアを占有する企業に勤める人は、予め定められた範囲の中であれば、自由に複数の階の間でエレベーターを利用することが可能になる。また、利用可能階が、個人データに対応して個人認証情報データベース３５０に格納されているから、利用可能階の変更・追加が容易であり、利用可能階の変更・追加に際して、各自に配布されているＩＣタグ１００の変更が不要である。
【００４３】
上記各実施の形態においては、エレベーター利用者は、ＩＣタグ１００が封入されたシール１０１を、所有するカード、鍵、携帯電話、眼鏡など、通常携帯している所持品に貼り付けることでエレベーターを利用することができ、利用者は他にも多数のカードがあるのに、エレベーターを利用するための新たなカードを保有する必要がなく、エレベーター利用に当たっての煩雑さが低減される。また、ＩＣタグを封入した小さいシールなら、利用者の任意のものに貼りつけられるので、各ビル・マンションで全く異なる入退室管理システム（鍵、カード、暗証番号等）を採用していても、エレベーターメーカーは個別のビル毎に対応しなくてもシールを渡すだけで、利用者が持ち歩くものを増やさなくてよい。
【００４４】
また、建物管理者にとっては、不審者がエレベーターに乗車するのを防止し易くなるという効果がある。
【００４５】
コンピュータを用いた入退室セキュリティー管理システムが設けられている場合、入退室セキュリティー管理システムに用いられている個人ごとのＩＤ番号と前記ＩＣタグ１００に格納されている個人データを合わせておき、データコントローラ３００をそのコンピュータシステムに接続しておいてもよい。そうすれば、エレベーターが利用されるごとに、利用者の個人データと利用階、そのときのエレベーターの上昇、下降の別を入退室セキュリティー管理システムに送信して個人ごとのＩＤ番号をキーにして記録することにより、入退室セキュリティー管理をバックアップすることができる。また、入退室セキュリティー管理システムに、室番号或いはＩＤ番号を格納したエレベーター用のＩＣタグ１００が封入されたシール１０１を併用することもできる。
【００４６】
図２は、上記各実施の形態におけるエレベーター用の個人認証手段に係る手続きの構成を示す概念図である。
【００４７】
エレベーターの新設時、エレベーターメーカー９００は、エレベーターを管理する管理者７００に、エレベーターを納入（９０１）するとともに、ＩＣタグ１００が封入されたシール１０１を納入（９０２）する。ＩＣタグ１００には、事前に室番号等のＩＤ番号が格納され、前記個人認証情報データベース３５０にこのＩＤ番号が格納されているとともに、ＩＤ番号に対応して利用可能階が格納されている。
【００４８】
利用者の入居時、管理者７００は、ビルに入居する利用者６００に、ＩＣタグ１００が封入されたシール１０１を配布（７０１）する。利用者６００は配布されたシール１０１を通常携帯している任意のものに貼りつける（６０１）。
【００４９】
エレベーター利用時、利用者６００は、エレベーター８００にタグを読込ませ（６０２）、エレベーター８００は利用者６００に運行サービスを提供する（８０１）。
【００５０】
ＩＣタグ１００が封入されたシール１０１が紛失した時、利用者６００は、ＩＣタグの紛失を、管理者７００を通じてエレベーターメーカー９００（或いはエレベーターの保守管理を担当する会社）に連絡する。エレベーターメーカー９００（或いはエレベーターの保守管理を担当する会社）は、公衆電話回線を介してデータコントローラ３００にアクセスし、紛失したＩＣタグに係る情報を消去することにより、紛失したＩＣタグを利用したエレベーター利用を停止する（９０３）。
【図面の簡単な説明】
【００５１】
【図１】本発明の実施の形態に係るエレベーター用個人認証手段を含むエレベーターシステムの要部構成を示す概念図である。
【図２】図１に示す実施の形態に係る手順の流れを表す概念図である。
【図３】図１に示す実施の形態に係るシールの例を示す平面図である。
【図４】図１に示す実施の形態に係るシールの他の例を示す平面図である。
【図５】図１に示す実施の形態に係るリーダの配置を示す正面図である。
【図６】第１の実施の形態におけるホール呼びの処理手順を示すフローチャートである。
【図７】第１の実施の形態におけるかご呼びの処理手順を示すフローチャートである。
【図８】第２の実施の形態におけるホール呼びの処理手順を示すフローチャートである。
【図９】第３の実施の形態におけるかご呼びの処理手順を示すフローチャートである。
【符号の説明】
【００５２】
１００  ＩＣタグ
１０１  シール
１１０  カード
１１１  鍵
１１２  携帯電話
１１３  眼鏡
２００  リーダ
３００  データコントローラ
３５０  個人認証情報データベース
４００  エレベーター制御盤
５００  乗りかご
６００  利用者
７００  管理者
８００  エレベーター
９００  エレベーターメーカー
【図１】
2006076697.tif 000003
【図２】
2006076697.tif 000004
【図３】
2006076697.tif 000005
【図４】
2006076697.tif 000006
【図５】
2006076697.tif 000007
【図６】
2006076697.tif 000008
【図７】
2006076697.tif 000009
【図８】
2006076697.tif 000010
【図９】
2006076697.tif 000011